(57)【要約】【課題】空気の流量を確保しつつ集塵装置の小型化が可能な電気掃除機を提供する。【解決手段】電気掃除機は、電動送風機を収容した本体ケースを有する。電気掃除機は、電動送風機の吸込側に連通する集塵装置を有する。集塵装置は、塵埃を分離する第１分離部41を備える。集塵装置は、第１分離部41で分離する塵埃よりも微細な塵埃を遠心分離する複数の第２分離部42を所定方向に沿って配置する。集塵装置は、第１分離部41の下流側に対して各第２分離部42の上流側を並列に連通する分配風路84を、第２分離部42に沿って、前後方向に沿って上流側から下流側へと断面積が減少するように形成する。【選択図】図１
2013063101.tif 000002
【特許請求の範囲】
【請求項１】
電動送風機を収容した本体ケースと、
前記電動送風機の吸込側に連通する集塵部とを具備し、
前記集塵部は、
塵埃を分離する第１分離部と、
所定方向に沿って配置され、前記第１分離部で分離する塵埃よりも微細な塵埃を遠心分離する複数の第２分離部と、
これら第２分離部に沿って位置し、前記所定方向に沿って上流側から下流側へと断面積が減少するように形成され、前記第１分離部の下流側に対して前記各第２分離部の上流側を並列に連通する分配風路とを備えている
ことを特徴とした電気掃除機。
【請求項２】
集塵部は、分配風路の上側に沿って上流側から下流側へと断面積が増加するように形成され、各第２分離部の下流側を電動送風機の吸込側に並列に連通する連通風路を備えている
ことを特徴とした請求項１記載の電気掃除機。
【発明の詳細な説明】
【技術分野】
【０００１】
本発明の実施形態は、第１分離部、および、この第１分離部で分離する塵埃よりも微細な塵埃を遠心分離する複数の第２分離部を備えた電気掃除機に関する。
【背景技術】
【０００２】
従来、例えば塵埃を遠心分離(サイクロン分離)して捕集する集塵部を備え、この集塵装置が、含塵空気中の粗塵、例えば繊維ごみなどを遠心分離する第１分離部と、この第１分離部の下流に接続され第１分離部を通過した細塵(微細塵)を遠心分離する第２分離部とを備えた構成が知られている。
【０００３】
このような構成の場合、第２分離部は、圧力損失の高さを補うために並列に複数設けられるため、集塵部、すなわち掃除機本体の大きさが大きくなるという問題がある。
【先行技術文献】
【特許文献】
【０００４】
【特許文献１】特許第４４４４９４６号公報
【発明の概要】
【発明が解決しようとする課題】
【０００５】
本発明が解決しようとする課題は、空気の流量を確保しつつ集塵部の小型化が可能な電気掃除機を提供することである。
【課題を解決するための手段】
【０００６】
実施形態の電気掃除機は、電動送風機を収容した本体ケースを有する。また、この電気掃除機は、電動送風機の吸込側に連通する集塵部を有する。集塵部は、塵埃を分離する第１分離部を備える。また、この集塵部は、所定方向に沿って配置され、第１分離部で分離する塵埃よりも微細な塵埃を遠心分離する複数の第２分離部を備える。さらに、この集塵部は、第２分離部に沿って位置し、所定方向に沿って上流側から下流側へと断面積が減少するように形成され、第１分離部の下流側に対して各第２分離部の上流側を並列に連通する分配風路を備える。
【図面の簡単な説明】
【０００７】
【図１】一実施形態の電気掃除機の集塵部を模式的に示す斜視断面図である。
【図２】同上電気掃除機の一部を模式的に示す断面図である。
【図３】同上集塵部の一部を拡大して示す斜視図である。
【図４】同上電気掃除機の内部構造を示す説明側面図である。
【図５】同上電気掃除機を示す斜視図である。
【発明を実施するための形態】
【０００８】
以下、一実施形態の構成を図１ないし図５を参照して説明する。
【０００９】
図４および図５において、11はいわゆるキャニスタ型の電気掃除機を示し、この電気掃除機11は、吸込風路体(風路形成体)である管部12と、この管部12が着脱可能に接続される掃除機本体13とを有している。
【００１０】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側、あるいはホース体16の先端側に選択的に着脱可能に接続される吸込口体としての床ブラシ19とを備えている。
【００１１】
手元操作部17には、ループ状の把持部21がホース体16側へと突出し、この把持部21の上部には、操作用の設定ボタン22が複数設けられている。
【００１２】
また、掃除機本体13は、大径の走行輪23を両側に有し旋回輪24を下部に有する本体ケース25を備え、この本体ケース25の上部には、集塵部としての集塵装置26が着脱可能となっている。そして、掃除機本体13は、走行輪23および旋回輪24によって被掃除面である床面上を少なくとも前後方向に沿って走行(移動)可能に構成されている。
【００１３】
本体ケース25は、例えば合成樹脂などにより形成されており、電動送風機31を収容した本体部32と、この本体部32の前部に突設された突出部33とを有している。
【００１４】
電動送風機31は、本体部32内に配置されており、設定ボタン22の操作に応じて、本体部32内に収容された図示しない制御手段により動作が制御される。また、この電動送風機31は、例えばゴムなどの弾性部材35，36を介して軸方向の両端部が弾性的に支持されている。
【００１５】
本体部32は、集塵装置26の後側の下部を支持する部分であり、電動送風機31および制御手段の他に、この電動送風機31に給電するための電源部として、電源コード37を巻回した図示しないコードリール装置が収容されている。また、この本体部32の後端部には、電動送風機31からの排気を本体ケース25の外部へと排出する図示しない排気孔と、電源コード37の先端側が導出される図示しないコード導出口とが形成されている。さらに、本体部32の両側には走行輪23が位置している。
【００１６】
また、突出部33は、集塵装置26の前側の下部を支持する部分であり、前方に向けて上方へと傾斜している。さらに、この突出部33の内部から本体部32の内部に亘って、集塵装置26に連通するダクト部38が内部に区画されている。また、この突出部33の前部には、管部12の接続管部15が接続される本体吸込口39が形成されており、この本体吸込口39がダクト部38の上流端の開口となっている。そして、この突出部33の下部には、旋回輪24が位置している。
【００１７】
また、集塵装置26は、図１ないし図４に示すように、前側に位置し上下方向に沿って軸方向を有する第１遠心分離部である第１分離部41と、この第１分離部41に連通して後側に位置し上下方向に沿って軸方向を有する複数の第２遠心分離部である第２分離部42と、第１分離部41の下流側に連通する連結風路43と、この連結風路43と連通する風路部44と、各第２分離部42の下部に接続される集塵ケース45とを備えている。そして、第１分離部41の上部、連結風路43および第２分離部42の上部が外カバー46によって覆われている。
【００１８】
第１分離部41は、ダクト部38を通過した含塵空気から繊維ごみなどの比較的大きい塵埃である粗塵を捕集できれば、例えば紙バッグあるいは布バッグなどの集塵袋、あるいは、ウレタンフィルタなどのフィルタを用いるなど、任意の構成とすることができるが、本実施形態では含塵空気を旋回させて繊維ごみなどの比較的大きい塵埃である粗塵を遠心分離(サイクロン分離)により捕集するものであり、有底円筒状をなすケース体51と、このケース体51内に配置された円筒状の旋回部52と、この旋回部52に取り付けられたそれぞれメッシュ状の集塵フィルタ53および圧縮フィルタ54とを有している。そして、この第１分離部41は、例えば集塵装置26が本体ケース25に装着された状態で、後方上側に向けて傾斜するように配置される。
【００１９】
ケース体51は、粗塵を遠心分離する分離室56を上側に、この分離した粗塵を収容する集塵室57を下側に、それぞれ区画する部分であり、例えば合成樹脂などの部材により形成された円筒状のケース本体58と、このケース本体58の一端部である下端部を開閉可能とする蓋体59とを備えている。そして、ケース本体58の後部一側には、ダクト部38が接続される流入口である吸込口60が形成されており、この吸込口60を介して含塵空気がダクト部38からケース体51内へと接線方向に沿って流入するように構成されている。
【００２０】
旋回部52は、ケース体51(ケース本体58)の上部からこのケース体51(ケース本体58)の内部へと挿入されており、このケース体51(ケース本体58)と同心状に配置されている。そして、この旋回部52は、上側に位置する円筒状の旋回部本体62と、下側に位置する円筒状(円盤状)の拡大部63とを一体に備えている。
【００２１】
旋回部本体62は、外周面とケース体51(ケース本体58)の内周面との間に、含塵空気が旋回する分離室56が区画されている。また、旋回部本体62の周囲には、複数の周囲開口部65が形成されており、これら周囲開口部65は集塵フィルタ53によりそれぞれ覆われている。さらに、この旋回部本体62の他端部である上端部は、連結風路43に対して気密に接続されている。したがって、各周囲開口部65は、旋回部52(旋回部本体62)の内部、連結風路43および風路部44を介して各第２分離部42と連通している。
【００２２】
また、拡大部63は、旋回部本体62の下端部の全周に対して径方向に突出する上面部67と、この上面部67の周縁から下方へと突出する塵埃集積部としての周辺突出部68と、上面部67の中央部から下方へと突出する筒状部としての吸付部である突出筒部69を一体に備えており、旋回部本体62よりも径大に形成され、この旋回部本体62に対して同心状に連結されている。すなわち、この拡大部63は、旋回部本体62に対して段差状に拡径されている。そして、この拡大部63の下部とケース体51との間に、集塵室57が区画されており、この拡大部63によって、分離室56に生じる旋回流(渦流)の影響を集塵室57に対して遮断(抑制)するように構成されている。
【００２３】
上面部67には、旋回部本体62の外周面近傍の位置に、周方向に複数の開口部(図示せず)が形成されており、これら開口部はメッシュ状のフィルタ体によりそれぞれ覆われている。このフィルタ体は、粗塵を圧縮するためのものであり、メッシュ状に形成されている。
【００２４】
また、周辺突出部68は、外周面がケース体51(ケース本体58)の内周面に接近して分離室56よりも狭い隙間を形成している。さらに、この周辺突出部68の内周面は、下側から上側(突出筒部69側)に向けて徐々に縮径されて傾斜した円筒面である傾斜面68aとなっている。
【００２５】
また、突出筒部69は、旋回部本体62よりも径小の円筒状に形成されており、この旋回部本体62に対して同心状で、この旋回部本体62と気密に連続している。さらに、この突出筒部69の下端部は、上面部67の下面よりも下方、すなわち集塵室57内へと突出した端部開口部74となっており、この端部開口部74は圧縮フィルタ54により覆われている。この端部開口部74は、旋回部52(旋回部本体62)の内部、連結風路43及び風路部44を介して各第２分離部42と連通している。
【００２６】
一方、各第２分離部42は、第１分離部41により遠心分離できなかった、粉ごみなどの比較的小さい塵埃(細塵)、すなわち第１分離部41で分離する粗塵よりも微細な塵埃を遠心分離するものである。換言すれば、各第２分離部42は、第１分離部41よりもそれぞれ流速が大きく、遠心分離能力が高い。そして、これら第２分離部42は、本実施形態では例えば両側に所定方向である前後方向に５つずつ、中央部に所定方向である前後方向に４つ、合計３列１４個配置されている。
【００２７】
各第２分離部42は、上側から下側へと、すなわち上流側から下流側へと徐々に縮径された長尺円筒状の第２分離部本体77と、この第２分離部本体77の上端部に配置された整流部78とをそれぞれ備えている。
【００２８】
各第２分離部本体77は、整流部78から流入した含塵空気を内周面に沿って旋回させる部分であり、少なくとも内周面の最大径寸法が第１分離部41のケース体51(ケース本体58)よりも小さく、例えばケース体51(ケース本体58)の内周面の半分以下程度の径寸法に設定されている。
【００２９】
また、各整流部78は、各第２分離部本体77の上端からこれら第２分離部本体77内に挿入されて同心状に配置されている。さらに、各整流部78は、上下方向に沿って円筒状に形成された通気部としての通気筒部81と、この通気筒部81の周囲に沿って螺旋状に形成された整流通路部82とをそれぞれ一体に有している。
【００３０】
各通気筒部81は、下端側が第２分離部本体77内へと挿入されて突出している。
【００３１】
また、各整流通路部82は、上流側が前方、すなわち上流側に向けて開口しているとともに、下流側へと徐々に下方に傾斜している。このため、各第２分離部42は、各整流通路部82により、含塵空気が各第２分離部本体77内へと接線方向に沿って流入するように構成されている。
【００３２】
また、連結風路43は、所定方向である前後方向に沿って長手状に形成されており、第１分離部41の上部から各第２分離部42の前部に亘って位置し、第１分離部41と一体的に設けられている。そして、この連結風路43の前側の下部は、第１分離部41の下流側、すなわち旋回部52の上端部と着脱可能に接続される。
【００３３】
また、風路部44は、各第２分離部42の上流側に連通する分配風路84を下部に有するとともに、各第２分離部42の下流側に連通する連通風路85を上部に有する、上下二層構造となっている。すなわち、この風路部44は、分配風路84と連通風路85とに分割されている。さらに、この風路部44は、上流側である前側から下流側である後側に亘って略一定の幅寸法および上下寸法となっている。そして、この風路部44は、各第２分離部42と一体的に設けられている。
【００３４】
分配風路84は、第２分離部42の列の中央部、すなわち本実施形態では第２分離部42の中央の列の位置に、所定方向である前後方向に沿って長手状に形成されており、各第２分離部42の上流側すなわち整流部78がそれぞれ並列に連通している。また、この分配風路84は、前後方向に沿って上流側から下流側へと断面積が徐々に減少するように形成されている。具体的に、この分配風路84は、上流側から下流側に亘って略一定の幅寸法を有し、かつ、上流側から下流側へと徐々に上下寸法が減少するように、本実施形態では上部が下部へと徐々に接近するように湾曲して形成されている。すなわち、この分配風路84は、最上流位置では全ての第２分離部42に供給する含塵空気の流量を賄える断面積を有し、最下流位置では最後部両側に位置する２つの第２分離部42に供給する含塵空気の流量を賄える断面積を有するように設定されている。
【００３５】
また、連通風路85は、分配風路84の上側に沿って、前後方向に長手状に形成されており、中央の列に位置する第２分離部42の下流側すなわち通気筒部81の上端部と連通しているとともに、両側に突出する分岐風路部85aを介して、両側の列に位置する第２分離部42の下流側すなわち通気筒部81の上端部と連通している。すなわち、この連通風路85には、全ての第２分離部42の下流側が並列に連通している。さらに、この連通風路85は、前後方向に沿って上流側から下流側へと断面積が徐々に増加するように形成されている。具体的に、この連通風路85は、上流側から下流側に亘って分配風路84の幅寸法と略等しい略一定の幅寸法を有し、かつ、上流側から下流側へと徐々に上下寸法が増加するように、本実施形態では分配風路84の上部の湾曲に対応して連通風路85の下部が上部に対して徐々に離間するように湾曲して形成されている。換言すれば、連通風路85は、分配風路84の断面積の上流側から下流側への減少に対応して上流側から下流側へと断面積が増加しており、連通風路85の上下寸法と分配風路84の上下寸法との和が上流側から下流側に亘って略一定となるように設定されている。そして、この連通風路85は、最上流位置では最前部両側に位置する２つの第２分離部42からの排気の流量を賄える断面積を有し、最下流位置では全ての第２分離部42からの排気の流量を賄える断面積を有するように設定されている。また、この連通風路85は、電動送風機31の吸込側に連通している。
【００３６】
また、集塵ケース45は、第２分離部42で分離された塵埃(細塵)を収容するものであり、第１分離部41の後方で、かつ、各第２分離部42の下方に位置し、上部に各第２分離部42の第２分離部本体77の下端側が気密に接続される開口86が形成されている。さらに、この集塵ケース45の内部は、各第２分離部42に対応して区画されている。そして、この集塵ケース45は、各第２分離部42に対して着脱可能となっている。
【００３７】
そして、上記集塵装置26は、吸込口60、ケース体51、周囲開口部65(集塵フィルタ53)および端部開口部74(圧縮フィルタ54)、連結風路43、分配風路84、各整流部78、各第２分離部本体77、各通気筒部81、および、連通風路85と連通する集塵風路87を気密に構成している。
【００３８】
次に、上記一実施形態の動作を説明する。なお、図１においては、説明を明確にするために、外カバー46を省略して示すものとする。
【００３９】
掃除の際には、図４および図５に示すように集塵装置26を掃除機本体13の本体ケース25に予め装着しておく。この状態で、集塵装置26の第１分離部41の吸込口60がダクト部38と気密に接続され、連通風路85(図１)が電動送風機31の吸込側と気密に接続されることにより、管部12および集塵装置26内の集塵風路87(図１)が電動送風機31の吸込側と気密に接続される。
【００４０】
そして、使用者は、電源コード37をコード導出口から引き出して壁面などのコンセントに接続した後、把持部21を把持して所望の設定ボタン22を操作することにより、制御手段が電動送風機31を、設定された動作モードで駆動させる。
【００４１】
電動送風機31の駆動により生じた負圧は、集塵装置26内の集塵風路87、ダクト部38および本体吸込口39を介して管部12へと作用する。そして、管部12では、ホース体16、延長管18および床ブラシ19と負圧が作用して、被掃除面に載置した床ブラシ19の先端などから、塵埃を空気とともに吸い込む。
【００４２】
含塵空気は、床ブラシ19、延長管18およびホース体16を介して、本体吸込口39からダクト部38を介して集塵装置26の第１分離部41の内部へと吸込口60を介して流入する。この吸込口60から流入した含塵空気は、図１に示す第１分離部41の分離室56、すなわちケース体51(ケース本体58)と旋回部52(旋回部本体62)との間で周方向に旋回し、粗塵が遠心分離されて下方へと重力落下し、第１分離部41の集塵室57、すなわちケース体51と旋回部52の下端部の拡大部63との間に捕集される。
【００４３】
第１分離部41を旋回する含塵空気は、その大部分が集塵フィルタ53を介して周囲開口部65から旋回部52の内部へと流入し、残りの一部が圧縮フィルタ54を介して端部開口部74から旋回部52の内部へと流入する。そして、分離室56において含塵空気が集塵フィルタ53を通過する際には、この含塵空気中の粗塵よりも細かい塵埃が集塵フィルタ53に捕集される。また、集塵室57の含塵空気は、一部が圧縮フィルタ54を通過し、残りの他部がフィルタ体を通過して拡大部63の外周側から再度この拡大部63の内部へと循環する。このとき、この含塵空気の流れにより吸い上げられた粗塵が旋回部52の拡大部63の下端部へと集められ、フィルタ体および圧縮フィルタ54に強力に吸い付けられて圧縮される。
【００４４】
旋回部52を通過した含塵空気(細塵を含んだ空気)は、連結風路43を通過した後、風路部44の分配風路84へと流入する。そして、この分配風路84から、各第２分離部42の整流部78の整流通路部82へとそれぞれ分岐して流入し、これら整流通路部82により整流されつつ各第２分離部本体77内へと流入する。分配風路84では、上流側から下流側へと含塵空気が流れる際に、前側の第２分離部42の整流部78の整流通路部82から順次含塵空気が吸い込まれて流量が漸減していく。
【００４５】
これら第２分離部本体77に流入した含塵空気は、これら第２分離部本体77の内周面に沿って周方向に、第１分離部41のケース体51内での旋回の流速よりも大きな流速で旋回し、細塵が遠心分離されて各第２分離部本体77の下端部から集塵ケース45へとそれぞれ重力落下してこの集塵ケース45内に捕集される。細塵が除去された澄んだ空気は、各第２分離部42の整流部78の通気筒部81を通過して風路部44の連通風路85へと抽出されて合流する。この連通風路85では、上流側から下流側へと、各第２分離部42を通過した澄んだ空気が順次合流して流量が漸増していく。
【００４６】
そして、連通風路85に合流した空気は電動送風機31へと吸い込まれ、この電動送風機31内を通過してこの電動送風機31を冷却した後、この電動送風機31から排気されて排気風となり、排気孔から掃除機本体13の本体ケース25の外部へと排気される。
【００４７】
掃除が終了すると、使用者が図５に示す設定ボタン22を操作することで、制御手段が電動送風機31を停止させる。そして、所定量以上の塵埃が第１分離部41の集塵室57(図１)および集塵ケース45(図１)に溜まった場合には、使用者は集塵装置26を掃除機本体13から取り外して塵埃をそれぞれ廃棄する。
【００４８】
以上説明した一実施形態では、第１分離部41の下流側に対して各第２分離部42の上流側を並列に連通する分配風路84を、第２分離部42の中央部、本実施形態では第２分離部42に沿って、これら第２分離部42が列をなす前後方向に沿って上流側から下流側へと断面積が減少するように形成した。すなわち、第２分離部42の上流側が上流側から下流側に亘って並列に接続される分配風路84においては、含塵空気が上流側の第２分離部42から下流側の第２分離部42へと順次吸い込まれていくために、上流側から下流側へと必要な流量が漸減するので、その断面積も漸減するのが合理的であるから、上流側から下流側へと徐々に断面積を減少させることによって、必要な空気の流量を確保しつつ、分配風路84のスペースを抑制して、集塵装置26の小型化(コンパクト化)、すなわち掃除機本体13(電気掃除機11)の小型化(コンパクト化)が可能になる。
【００４９】
また、各第２分離部42の下流側を電動送風機31の吸込側に並列に連通する連通風路85を、分配風路84の上側に沿って上流側から下流側へと断面積が増加するように形成した。すなわち、第２分離部42の下流側が上流側から下流側に亘って並列に接続される連通風路85においては、第２分離部42を通過した空気が上流側の第２分離部42から下流側の第２分離部42へと順次合流して流量が増加していくために、上流側から下流側へと必要な流量が漸増するので、その断面積も漸増するのが合理的であるから、上流側から下流側へと徐々に断面積を増加させることによって、必要な空気の流量を確保しつつ、連通風路85のスペースを抑制して、集塵装置26の小型化、すなわち掃除機本体13(電気掃除機11)の小型化が可能になる。
【００５０】
しかも、連通風路85は、分配風路84の上部に、この分配風路84の断面積の減少に対応させて断面積が増加するように形成しているため、内部が分配風路84と連通風路85とに分割される風路部44全体の断面積を上流側から下流側に亘って略一定とすることができ、風路部44全体の小型化(コンパクト化)が可能になる。
【００５１】
なお、上記一実施形態において、例えば全ての第２分離部42に対応する１つの集塵ケース45を備える構成に代えて、各第２分離部42のそれぞれに対応する個別の集塵ケースを備える構成としてもよい。
【００５２】
また、第２分離部42は、例えば風路部44の左右両側に沿ってそれぞれ同一個数ずつ構成してもよいし、風路部44に沿って１列のみで構成してもよい。すなわち、第２分離部42は、所定方向に沿って列をなすように構成すれば、任意の複数個ずつを配置することが可能であるとともに、風路部44は、これら第２分離部42の列に沿って形成すれば、上記一実施形態と同様の作用効果を奏することができる。
【００５３】
さらに、電気掃除機11としては、集塵装置26を掃除機本体13(本体ケース25)に対して着脱可能なものとする以外でも、例えば集塵装置26を掃除機本体13(本体ケース25)に一体的に組み込む構成としても、同様の作用効果を奏することができる。この場合には、例えば第１分離部41および集塵ケース45などを掃除機本体13(本体ケース25)に対して着脱可能とすることで、捕集した塵埃を容易に廃棄できるようにすることが好ましい。
【００５４】
また、電気掃除機11としては、キャニスタ型に限らず、縦長の掃除機本体13の下部に床ブラシ19が接続されたアップライト型、ハンディ型、あるいは自走式掃除機などでも対応して用いることができる。
【００５５】
さらに、電気掃除機11としては、電源部としてコードリール装置を用いて商用交流電源により給電する構成以外でも、例えば二次電池などの電池を電源部として掃除機本体13に内蔵する構成としてもよい。
【００５６】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５７】
11    電気掃除機
25    本体ケース
26    集塵部としての集塵装置
31    電動送風機
41    第１分離部
42    第２分離部
84    分配風路
85    連通風路
【図１】
2013063101.tif 000003
【図２】
2013063101.tif 000004
【図３】
2013063101.tif 000005
【図４】
2013063101.tif 000006
【図５】
2013063101.tif 000007